(57)【要約】【課題】内部に積層状態で収納されている紙幣が崩れてしまうことを抑制することができる収納袋およびこのような収納袋に紙幣を積層状態ができるだけ崩れないように収納させることができる紙葉類処理装置を提供する。【解決手段】紙葉類処理装置（例えば、紙幣処理機１０）に装着され、当該紙葉類処理装置で処理された紙葉類を収納する収納袋（例えば、紙幣収納袋３４、３４ｐ、３４ｑ、３４ｒ）は、上端縁に開口部が設けられ、内部空間の周囲の長さが、開口部が設けられた箇所で最大の大きさとなっている。【選択図】図４
2019148839.tif 000002
【特許請求の範囲】
【請求項１】
紙葉類処理装置に装着され、前記紙葉類処理装置で処理された紙葉類を収納する収納袋であって、
上端縁に開口部が設けられ、
内部空間の周囲の長さが、前記開口部が設けられた箇所で最大の大きさとなっている、収納袋。
【請求項２】
複数枚の紙葉類を積層状態で内部に収納する、請求項１記載の収納袋。
【請求項３】
前記開口部から離れるにつれて、内部空間の周囲の長さが小さくなる、請求項１または２記載の収納袋。
【請求項４】
側面の横幅が、前記開口部が設けられた箇所で最大の大きさとなっており、前記開口部から離れるにつれて、側面の横幅が小さくなる、請求項１乃至３のいずれか一項に記載の収納袋。
【請求項５】
前記開口部の近傍には前記収納袋の側面を補強する補強部が設けられており、
前記補強部が設けられる箇所では内部空間の周囲の長さが一定となっている、請求項１乃至４のいずれか一項に記載の収納袋。
【請求項６】
前記収納袋は略長方形形状となっており、当該収納袋の側端縁の近傍の箇所の内面が接着されることにより内部空間が形成されるようになっている、請求項１乃至５のいずれか一項に記載の収納袋。
【請求項７】
前記開口部に近い側に設けられ、前記開口部から離れるにつれて内部空間の周囲の長さが徐々に小さくなる第１部分と、前記第１部分よりも前記開口部から遠い側に設けられ、内部空間の周囲の長さが一定となっている第２部分とを備えた、請求項１乃至５のいずれか一項に記載の収納袋。
【請求項８】
請求項１乃至７のいずれか一項に記載の収納袋が着脱自在に装着可能となっている紙葉類処理装置であって、
前記収納袋における前記開口部の近傍の箇所を保持する左右一対の保持部材と、
略鉛直方向に移動可能となっており、前記保持部材により保持される前記収納袋の少なくとも一部が載置される載置部と、
を備え、
前記収納袋を保持しているときの各前記保持部材の間隔は、前記載置部の幅よりも大きくなっている、紙葉類処理装置。
【請求項９】
各前記保持部材により保持される前記収納袋の側端縁を規制する左右一対の規制部材を更に備え、
前記収納袋を保持しているときの各前記保持部材の間隔は、各前記規制部材の間隔よりも大きくなっている、請求項８記載の紙葉類処理装置。
【請求項１０】
各前記規制部材における前記収納袋の側端縁に対向する面は、各前記保持部材により保持される前記収納袋の前記開口部から離れるにつれて互いに接近するよう鉛直方向に対して傾斜している、請求項９記載の紙葉類処理装置。
【請求項１１】
前記保持部材により保持される前記収納袋に収納される前の紙葉類を一時的に保留する一時保留部と、
前記一時保留部に保留される紙葉類を、各前記保持部材により保持されている前記収納袋の内部に押し込む押し込み部と、
を更に備えた、請求項８乃至１０のいずれか一項に記載の紙葉類処理装置。
【発明の詳細な説明】
【技術分野】
【０００１】
本発明は、紙幣等の紙葉類が収納される収納袋、およびこのような収納袋が着脱自在に装着可能となっている紙葉類処理装置に関する。
【背景技術】
【０００２】
紙幣の入金処理や出金処理等の様々な処理を行う紙幣処理機において、機体内に取り込まれた紙幣をパウチ袋等の収納袋に収納させるようなタイプのものが従来から用いられている。このような紙幣処理機として、例えば特許文献１等に開示されるものが従来から知られている。より詳細には、特許文献１には、スーパーマーケット等の店舗におけるバックヤード領域に設置される現金出納装置において、紙幣を収納する収納袋が着脱自在に装着可能となっており、当該現金出納装置に入金された紙幣は収納袋に収納されるようになっている。
【先行技術文献】
【特許文献】
【０００３】
【特許文献１】特開２０１４−１７４５８１号公報
【発明の概要】
【発明が解決しようとする課題】
【０００４】
従来の収納袋は略長方形形状のものとなっており、このような収納袋では、側面の横幅が、開口部から底部まで略同一の大きさとなっていた。しかしながら、このような収納袋では、当該収納袋に積層状態で収納されている紙幣が崩れやすいという問題がある。より詳細には、収納袋に紙幣を確実に収納させるためにはその上端縁に設けられる開口部をできるだけ大きくする必要があるが、開口部を大きくすると収納袋の横幅も大きくなってしまい、この横幅の大きさが紙幣の長手方向の長さよりも大き過ぎる場合には複数の紙幣が積層状態で収納袋に収納されたときに紙幣が収納袋の内部で崩れてしまうおそれがある。
【０００５】
本発明は、このような点を考慮してなされたものであり、内部に積層状態で収納されている紙幣が崩れてしまうことを抑制することができる収納袋を提供することを目的とする。また、本発明の他の目的は、このような収納袋に紙幣を積層状態ができるだけ崩れないように収納させることができる紙葉類処理装置を提供することにある。
【課題を解決するための手段】
【０００６】
本発明の収納袋は、紙葉類処理装置に装着され、前記紙葉類処理装置で処理された紙葉類を収納する収納袋であって、上端縁に開口部が設けられ、内部空間の周囲の長さが、前記開口部が設けられた箇所で最大の大きさとなっていることを特徴とする。なお、収納袋の内部空間の周囲の長さとは、収納袋にマチが設けられていない場合には側面の横幅の２倍の大きさと略同一の大きさとなり、一方、収納袋にマチが設けられている場合には側面の横幅の２倍の大きさおよびマチの横幅の２倍の大きさの合計と略同一の大きさとなる。
【０００７】
このような収納袋によれば、収納袋の内部空間の周囲の長さが、開口部が設けられた箇所で最大の大きさとなっているため、収納袋の底部の近傍では内部空間の無駄な部分が小さくなり、よって内部に積層状態で収納されている紙幣が崩れてしまうことを抑制することができる。
【０００８】
本発明の収納袋は、複数枚の紙葉類を積層状態で内部に収納するようになっていてもよい。
【０００９】
本発明の収納袋は、前記開口部から離れるにつれて、内部空間の周囲の長さが小さくなっていてもよい。
【００１０】
本発明の収納袋は、側面の横幅が、前記開口部が設けられた箇所で最大の大きさとなっており、前記開口部から離れるにつれて、側面の横幅が小さくなっていてもよい。
【００１１】
本発明の収納袋においては、前記開口部の近傍には前記収納袋の側面を補強する補強部が設けられており、前記補強部が設けられる箇所では内部空間の周囲の長さが一定となっていてもよい。
【００１２】
本発明の収納袋においては、前記収納袋は略長方形形状となっており、当該収納袋の側端縁の近傍の箇所の内面が接着されることにより内部空間が形成されるようになっていてもよい。
【００１３】
あるいは、本発明の収納袋は、前記開口部に近い側に設けられ、前記開口部から離れるにつれて内部空間の周囲の長さが徐々に小さくなる第１部分と、前記第１部分よりも前記開口部から遠い側に設けられ、内部空間の周囲の長さが一定となっている第２部分とを備えていてもよい。
【００１４】
本発明の紙葉類処理装置は、上記の収納袋が着脱自在に装着可能となっている紙葉類処理装置であって、前記収納袋における前記開口部の近傍の箇所を保持する左右一対の保持部材と、略鉛直方向に移動可能となっており、前記保持部材により保持される前記収納袋の少なくとも一部が載置される載置部と、を備え、前記収納袋を保持しているときの各前記保持部材の間隔は、前記載置部の幅よりも大きくなっていることを特徴とする。
【００１５】
このような紙葉類処理装置によれば、収納袋の内部空間の周囲の長さが、開口部が設けられた箇所で最大の大きさとなっている場合でも、載置部にその少なくとも一部が載置されている収納袋を各保持部材により確実に保持させることができるようになる。
【００１６】
本発明の紙葉類処理装置は、各前記保持部材により保持される前記収納袋の側端縁を規制する左右一対の規制部材を更に備え、前記収納袋を保持しているときの各前記保持部材の間隔は、各前記規制部材の間隔よりも大きくなっていてもよい。
【００１７】
この場合、各前記規制部材における前記収納袋の側端縁に対向する面は、各前記保持部材により保持される前記収納袋の前記開口部から離れるにつれて互いに接近するよう鉛直方向に対して傾斜していてもよい。
【００１８】
本発明の紙葉類処理装置は、前記保持部材により保持される前記収納袋に収納される前の紙葉類を一時的に保留する一時保留部と、前記一時保留部に保留される紙葉類を、各前記保持部材により保持されている前記収納袋の内部に押し込む押し込み部と、を更に備えていてもよい。
【発明の効果】
【００１９】
本発明の収納袋によれば、内部に積層状態で収納されている紙幣が崩れてしまうことを抑制することができる。また、本発明の紙葉類処理装置によれば、このような収納袋に紙幣を積層状態ができるだけ崩れないように収納させることができる。
【図面の簡単な説明】
【００２０】
【図１】本発明の実施の形態による紙幣処理機の内部構成を概略的に示す概略構成図である。
【図２】図１に示す紙幣処理機における紙幣収納機構の構成の詳細を示す側面図である。
【図３】図２に示す紙幣収納機構における一対の保持部材等の構成を示す斜視図である。
【図４】図２等に示す紙幣収納機構において各保持部材により保持されるべき紙幣収納袋の構成の一例を示す側面図である。
【図５】図２等に示す紙幣収納機構において各保持部材により保持されるべき紙幣収納袋の構成の他の例を示す側面図である。
【図６】図２等に示す紙幣収納機構において各保持部材により保持されるべき紙幣収納袋の構成の更に他の例を示す側面図である。
【図７】図６に示す紙幣収納袋の作成方法を示す説明図である。
【図８】図２等に示す紙幣収納機構において各保持部材により保持されるべき紙幣収納袋の構成の更に他の例を示す側面図である。
【図９】従来の紙幣収納袋の構成を示す側面図である。
【図１０】図１等に示す紙幣処理機の制御系の構成を示す機能ブロック図である。
【発明を実施するための形態】
【００２１】
以下、図面を参照して本発明の実施の形態について説明する。図１乃至図１０は、本実施の形態に係る紙幣処理機およびこのような紙幣処理機の装着部に装着される紙幣収納袋を示す図である。このうち、図１は、本実施の形態による紙幣処理機の内部構成を概略的に示す概略構成図であり、図２は、図１に示す紙幣処理機における紙幣収納機構の構成の詳細を示す側面図であり、図３は、図２に示す紙幣収納機構における一対の保持部材等の構成を示す斜視図である。また、図４乃至図８は、図２等に示す紙幣収納機構において各保持部材により保持されるべき紙幣収納袋の構成の様々な例を示す側面図である。なお、図９は、従来の紙幣収納袋の構成を示す側面図である。また、図１０は、図１等に示す紙幣処理機の制御系の構成を示す機能ブロック図である。
【００２２】
本実施の形態による紙幣処理機１０は、概してスーパーマーケット等の店舗のフロント領域やバックヤード領域、あるいは銀行ロビーや銀行の内部に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００２３】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。
【００２４】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００２５】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００２６】
図１に示すように、本実施の形態では、下部ユニット１６には、一方に開口が設けられた紙幣収納袋３４の内部に紙幣を収納させるための紙幣収納機構３２が複数（例えば、２つ）設けられている。各紙幣収納機構３２には、それぞれ、一対の保持部材３６が互いに対向するよう離間して設けられており、紙幣収納袋３４の開口部の近傍における互いに対向する２つの箇所が各保持部材３６によりそれぞれ保持されるようになっている。ここで、ある保持部材３６（具体的には、例えば図１や図２における右側の保持部材３６）はその位置が固定されているのに対し、別の保持部材３６（具体的には、例えば図１や図２における左側の保持部材３６）は位置固定の保持部材３６に向かって移動することができるようになっている。また、図２に示すように、各保持部材３６にはそれぞれ加熱部材３８が設けられている。そして、紙幣収納機構３２において各保持部材３６により保持された紙幣収納袋３４に所定量の紙幣が収納された後、当該紙幣収納袋３４が紙幣収納機構３２から取り出される前に、一方の保持部材３６が他方の保持部材３６に向かって移動してこれらの保持部材３６が互いに接合した状態で、加熱部材３８によって紙幣収納袋３４の開口部の近傍の箇所に熱が与えられることにより当該紙幣収納袋３４の開口部はヒートシール（熱封止）されるようになっている。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接合するようになっていてもよい。
【００２７】
また、上部ユニット１４において、搬送部２４からは各紙幣収納機構３２に対応して複数（図１に示す例では２つ）の分岐搬送部２５が分岐しており、搬送部２４から分岐搬送部２５に分岐させられた紙幣が当該分岐搬送部２５から各紙幣収納機構３２に装着された紙幣収納袋３４に送られて当該紙幣収納袋３４に収納されるようになっている。
【００２８】
次に、本実施の形態における紙幣収納機構３２の構成の詳細について図２および図３を用いて説明する。図２は、紙幣収納機構３２の構成の詳細を示す側面図であり、図３は、図２に示す紙幣収納機構３２における一対の保持部材３６等の構成を示す斜視図である。
【００２９】
図２に示すように、紙幣収納機構３２には、上部ユニット１４の分岐搬送部２５から下部ユニット１６に送られた紙幣を一対の保持部材３６により保持される紙幣収納袋３４に送るための紙幣送り出し部４８と、紙幣送り出し部４８から送られた紙幣が一時的に保留される一時保留部４４と、一対の保持部材３６により保持される紙幣収納袋３４の底部が載置されるステージ４０とがそれぞれ設けられている。
【００３０】
図２に示すように、紙幣送り出し部４８は、ローラやベルトを組み合わせたものからなり、上部ユニット１４の分岐搬送部２５から下部ユニット１６に送られた紙幣を１枚ずつ一時保留部４４上に送って当該一時保留部４４上に集積させるようになっている。また、一時保留部４４は左右一対のものからなり、各一時保留部４４の基端部分に設けられた軸４４ａを中心として各一時保留部４４は下方（すなわち、図２における矢印方向）にそれぞれ回転することができるようになっている。また、ステージ４０は左右一対のものからなり、各ステージ４０は図２における上下方向および左右方向にそれぞれ移動可能となっている。また、一対のステージ４０の間には隙間が形成されており、保持部材３６により保持される紙幣収納袋３４の一部はこの隙間を通って各ステージ４０から下方に延びるようになっている。なお、各ステージ４０は電動アクチュエータ等のステージ駆動部４１（図１０参照）により駆動されるようになっている。
【００３１】
また、図２に示すように、各ステージ４０にはそれぞれ加熱部材４２が設けられている。そして、当該紙幣収納袋３４が紙幣収納機構３２から取り出される前に、一方のステージ４０（例えば、図２における左側のステージ４０）が他方のステージ４０（例えば、図２における右側のステージ４０）に向かって移動してこれらのステージ４０が互いに接合した状態で、加熱部材４２によって紙幣収納袋３４の底部近傍の箇所に熱が与えられることにより当該紙幣収納袋３４の底部がヒートシール（熱封止）されるようになっている。なお、紙幣収納機構３２において、一対のステージ４０のうちある１つのステージ４０が他のステージ４０に向かって移動する代わりに、両方のステージ４０がそれぞれ他のステージ４０に向かって中央位置まで移動してこれらのステージ４０が中央位置で互いに接合するようになっていてもよい。
【００３２】
また、図３に示すように、左右一対の保持部材３６のうち左側の保持部材３６にはパンタグラフ３７が設けられており、当該パンタグラフ３７により左側の保持部材３６は右側の保持部材３６に向かって移動させられてこれらの保持部材３６が互いに接合させられるようになっている。より詳細には、左側の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、左側の保持部材３６に設けられたガイドピン３６ｐが長穴３６ｑに沿って案内されることにより、当該左側の保持部材３６は右側の保持部材３６に向かって移動させられるようになる。
【００３３】
また、図３に示すように、左右一対の保持部材３６の上面には２つのピン３６ａが設けられている。また、図４に示すように、各保持部材３６により保持されるべき紙幣収納袋３４の開口部の近傍の箇所（すなわち、紙幣収納袋３４の上端部）には、それぞれ２つの開口３４ｂが形成された一対の突出部３４ａが設けられており、紙幣収納袋３４が各保持部材３６により保持される際に、紙幣収納袋３４の各突出部３４ａに形成されている各開口３４ｂに各保持部材３６の各ピン３６ａが通されることにより、これらの突出部３４ａが各保持部材３６により保持されるようになっている。
【００３４】
また、図２に示すように、一対の一時保留部４４の上方には押し込み板４６が設けられている。当該押し込み板４６にはパンタグラフ４７（図１０参照、図２では図示せず）が設けられており、このパンタグラフ４７が図２における上下方向に伸縮することによって押し込み板４６は図２において矢印で示す範囲を上下方向に移動することができるようになっている。このような押し込み板４６が下方に移動することによって、各一時保留部４４に一時的に保留されている紙幣が紙幣収納袋３４に収納される際に、各一時保留部４４に残留してしまった紙幣を紙幣収納袋３４に向かって押し込むことができるようになる。
【００３５】
また、各保持部材３６の下方において各ステージ４０の外側に一対の規制ガイド３９が設けられている。各々の規制ガイド３９は、それぞれ、互いに接近する方向および遠ざかる方向に移動可能となっている。すなわち、各々の規制ガイド３９は、図２における左右方向に移動可能となっている。これらの規制ガイド３９は、各保持部材３６により保持される紙幣収納袋３４に多くの紙幣が収納されたときの当該紙幣収納袋３４の側端縁を規制するようになっている。また、各規制ガイド３９はパンタグラフや電動アクチュエータ等からなる規制ガイド駆動部３９ａ（図１０参照）により図２における左右方向に移動させられるようになっている。
【００３６】
各規制ガイド３９は、紙幣収納袋３４の横幅に対応するような横幅が大きな板形状のものとなっている。なお、各規制ガイド３９は横幅が大きな板形状のものに限定されることはない。各々の規制ガイド３９は、紙幣収納袋３４の横幅に対応するよう、横幅の小さい板形状の部材を複数並べたものから構成されていてもよい。あるいは、各々の規制ガイド３９は、紙幣収納袋３４の横幅に対応するよう、棒状の部材を複数並べたものから構成されていてもよい。また、上述したように、各規制ガイド３９は、規制ガイド駆動部３９ａにより図２における左右方向に移動させられるようになっている。ここで、規制ガイド駆動部３９ａによって各規制ガイド３９が移動させられることにより、対向する左右一対の規制ガイド３９の間の距離が、紙幣収納袋３４に収納される紙幣の幅の大きさに合わせて調整されるようになっている。
【００３７】
このように、各保持部材３６により保持される紙幣収納袋３４に多くの紙幣が収納され、各ステージ４０が下方に移動したときの当該紙幣収納袋３４の側端縁が各規制ガイド３９によって規制されることにより、紙幣収納袋３４に収納された紙幣の高さが大きくなっても、紙幣収納袋３４内で紙幣が崩れてしまうことを防止することができる。
【００３８】
また、図２に示す例では、各規制ガイド３９における紙幣収納袋３４の側端縁に対向する面は、各保持部材３６により保持される紙幣収納袋３４の開口部から離れるにつれて（すなわち、図２における紙幣収納袋３４の上端縁から下方向に離れるにつれて）互いに接近するよう鉛直方向に対して傾斜している。また、各規制ガイド３９の間隔は、紙幣収納袋３４を保持しているときの各保持部材３６の間隔よりも小さくなっている。
【００３９】
また、左右一対の規制ガイド３９のみならず、図２の紙面における紙幣収納袋３４の手前側や奥側にも規制ガイド３９と同様の構成の規制ガイドを設けてもよい。この場合には、左右一対の規制ガイド３９および紙幣収納袋３４の手前側や奥側に設けられた規制ガイドにより、紙幣収納袋３４の周囲全体を規制することができるようになり、よって紙幣収納袋３４内で紙幣が崩れてしまうことをより一層確実に防止することができる。
【００４０】
なお、ステージ４０の寸法は、紙幣収納袋３４に収納されるべき様々な種類の紙幣のうちサイズが最も小さい紙幣に合わせて設計されており、このようなサイズが最も小さい紙幣を紙幣収納袋３４に収納させても、ステージ４０と規制ガイド３９とが互いに干渉することはない。また、規制ガイド３９として、横幅の小さい板形状の部材を複数並べたものや棒状の部材を複数並べたものが用いられる場合には、ステージ４０と規制ガイド３９を交差させるために、このような板形状の部材や棒状の部材が通過する切り欠きをステージ４０に設けるようにしてもよい。この場合には、ステージ４０の寸法を紙幣の幅よりも大きくすることができる。また、本実施の形態では、紙幣収納袋３４を保持しているときの各保持部材３６の間隔は、図２の左右方向におけるステージ４０の幅よりも大きくなっている。
【００４１】
次に、本実施の形態の紙幣処理機１０の紙幣収納機構３２における各保持部材３６により着脱自在に保持される紙幣収納袋３４の構成の詳細について図４を用いて説明する。本実施の形態では、紙幣収納袋３４は、上端縁に開口部が設けられるとともに、内部空間の周囲の長さが、開口部が設けられた箇所で最大の大きさとなっている。なお、紙幣収納袋３４の内部空間の周囲の長さとは、紙幣収納袋３４にマチが設けられていない場合には側面の横幅の２倍の大きさと略同一の大きさとなり、一方、紙幣収納袋３４にマチが設けられている場合には側面の横幅の２倍の大きさおよびマチの横幅の２倍の大きさの合計と略同一の大きさとなる。また、紙幣収納袋３４は、複数枚の紙葉類を積層状態で内部に収納するようになっている。このような紙幣収納袋３４の構成の詳細について以下に説明する。
【００４２】
本実施の形態では、図４に示すように、紙幣収納袋３４は、開口部から離れるにつれて（すなわち、紙幣収納袋３４の上端縁から図４における下方向に離れるにつれて）、内部空間の周囲の長さが小さくなるようになっている。より詳細には、紙幣収納袋３４は、側面の横幅が、開口部が設けられた箇所で最大の大きさとなっており、開口部から離れるにつれて、側面の横幅が小さくなるようになっている。具体的に説明すると、紙幣収納袋３４は、開口部の近傍の箇所に設けられた補強部材３４ｃと、補強部材３４ｃよりも開口部から遠い側に設けられ、開口部から離れるにつれて内部空間の周囲の長さが徐々に小さくなるテーパ部分３４ｄとを有している。ここで、補強部材３４ｃは紙幣収納袋３４の表面側および裏面側にそれぞれ設けられており、紙幣収納袋３４において各補強部材３４ｃが設けられる箇所では内部空間の周囲の長さが一定となっている。また、各補強部材３４ｃには、２つの開口３４ｂが形成された突出部３４ａが設けられており、紙幣収納袋３４が各保持部材３６により保持される際に、紙幣収納袋３４の各突出部３４ａに形成されている各開口３４ｂに各保持部材３６の各ピン３６ａが通されることにより、これらの突出部３４ａが各保持部材３６により保持されるようになっている。このような形状の紙幣収納袋３４を用いた場合には、当該紙幣収納袋３４の内部空間の周囲の長さが、開口部が設けられた箇所で最大の大きさとなっているため、紙幣収納袋３４の底部の近傍では内部空間の無駄な部分が小さくなり、よって内部に積層状態で収納されている紙幣が崩れてしまうことを抑制することができるようになる。とりわけ、開口部から離れるにつれて内部空間の周囲の長さが徐々に小さくなるテーパ部分３４ｄが設けられているため、このテーパ部分３４ｄにおいて内部に積層状態で収納されている紙幣が崩れてしまうことをより一層確実に抑制することができる。
【００４３】
なお、本実施の形態の紙幣処理機１０の紙幣収納機構３２における各保持部材３６により着脱自在に保持される紙幣収納袋は図４に示すような構成のものに限定されることはない。本実施の形態では、紙幣収納袋として、上端縁に開口部が設けられるとともに、内部空間の周囲の長さが、開口部が設けられた箇所で最大の大きさとなっているものであれば、図４に示す紙幣収納袋３４以外の構成の紙幣収納袋が用いられてもよい。例えば、図５に示すような、補強部材３４ｅおよびテーパ部分３４ｆの各々において、開口部から離れるにつれて内部空間の周囲の長さが徐々に小さくなるような紙幣収納袋３４ｐが用いられてもよい。
【００４４】
また、本実施の形態の紙幣処理機１０の紙幣収納機構３２における各保持部材３６により着脱自在に保持される紙幣収納袋の更に別の例として、図６に示すような構成のものが用いられてもよい。図６に示す紙幣収納袋３４ｑは、図４に示す紙幣収納袋３４と同様に、開口部から離れるにつれて（すなわち、紙幣収納袋３４ｑの上端縁から図６における下方向に離れるにつれて）、内部空間の周囲の長さが小さくなるようになっている。より詳細には、紙幣収納袋３４ｑは、側面の横幅が、開口部が設けられた箇所で最大の大きさとなっており、開口部から離れるにつれて、側面の横幅が小さくなるようになっている。具体的に説明すると、図６に示すように、紙幣収納袋３４ｑは略長方形形状となっており、当該紙幣収納袋３４ｑの側端縁の近傍の箇所の内面が接着されることにより内部空間が形成されるようになっている。ここで、紙幣収納袋３４ｑの内面における左右一対の接着箇所を参照符合３４ｇで示す。図６に示すように、紙幣収納袋３４ｑの内面における左右一対の接着箇所３４ｇは、開口部から離れるにつれて互いに接近するよう当該紙幣収納袋３４ｑの側端縁に対して傾斜している。このことにより、紙幣収納袋３４ｑは、開口部から離れるにつれて側面の横幅が小さくなる。このような紙幣収納袋３４ｑの作成方法について図７を用いて説明する。図７に示すように、まず、細長い略長方形形状の袋材料３４ｍを用意し、このような袋材料３４ｍの両側の端部に補強部材３４ｎを例えばヒートシールにより取り付ける。その後、図７において上下方向に延びる二点鎖線を中心として袋材料３４ｍを折り畳み、左右の袋材料３４ｍが互いに向き合うようにする。その後、図６において参照符合３４ｇで示す箇所で、折り畳まれた袋材料３４ｍの側端縁の近傍の箇所の内面を接着する。最後に、各補強部材３４ｎに設けられた突出部３４ａに形成されている２つの開口３４ｂを形成する。このことにより、図６に示すような紙幣収納袋３４ｑが作成されるようになる。
【００４５】
また、本実施の形態の紙幣処理機１０の紙幣収納機構３２における各保持部材３６により着脱自在に保持される紙幣収納袋の更に別の例として、図８に示すような構成のものが用いられてもよい。図８に示す紙幣収納袋３４ｒは、図４に示す紙幣収納袋３４と同様に、開口部から離れるにつれて（すなわち、紙幣収納袋３４ｒの上端縁から図８における下方向に離れるにつれて）、内部空間の周囲の長さが小さくなるようになっている。より詳細には、紙幣収納袋３４ｒは、側面の横幅が、開口部が設けられた箇所で最大の大きさとなっており、開口部から離れるにつれて、側面の横幅が小さくなるようになっている。具体的に説明すると、紙幣収納袋３４ｒは、開口部の近傍の箇所に設けられた補強部材３４ｈと、開口部に近い側に設けられ、当該開口部から離れるにつれて内部空間の周囲の長さが徐々に小さくなる第１部分３４ｉと、第１部分３４ｉよりも開口部から遠い側に設けられ、内部空間の周囲の長さが一定となっている第２部分３４ｊとを有している。
【００４６】
上述した紙幣収納袋３４ｐ、３４ｑ、３４ｒを用いた場合にも、紙幣収納袋３４を用いた場合と同様に、紙幣収納袋３４ｐ、３４ｑ、３４ｒの内部空間の周囲の長さが、開口部が設けられた箇所で最大の大きさとなっているため、紙幣収納袋３４ｐ、３４ｑ、３４ｒの底部の近傍では内部空間の無駄な部分が小さくなり、よって内部に積層状態で収納されている紙幣が崩れてしまうことを抑制することができるようになる。
【００４７】
なお、比較例として、従来の紙幣収納袋の構成を図９に示す。図９に示すように、従来では、略長方形形状であり、上端縁に開口部が設けられている紙幣収納袋３５が用いられていた。このような紙幣収納袋３５では、当該紙幣収納袋３５の高さ方向において内部空間の周囲の長さが一定となっている。また、紙幣収納袋３５の開口部の近傍の箇所には補強部材が表面側および裏面側にそれぞれ設けられており、各補強部材には、２つの開口３５ｂが形成された一対の突出部３５ａが設けられている。そして、紙幣収納袋３５が各保持部材３６により保持される際に、紙幣収納袋３５の各突出部３５ａに形成されている各開口３５ｂに各保持部材３６の各ピン３６ａが通されることにより、これらの突出部３５ａが各保持部材３６により保持されるようになっている。しかしながら、図９に示すような従来の紙幣収納袋３５を用いた場合には、側面の横幅が、開口部から底部まで略同一の大きさとなっているため、紙幣収納袋３５に積層状態で収納されている紙幣が崩れやすいという問題があった。より詳細には、紙幣収納袋３５に紙幣を確実に収納させるためにはその上端縁に設けられる開口部をできるだけ大きくする必要があるが、開口部を大きくすると紙幣収納袋３５の横幅も大きくなってしまい、この横幅の大きさが紙幣の長手方向の長さよりも大き過ぎる場合には複数の紙幣が積層状態で収納袋に収納されたときに紙幣が紙幣収納袋３５の内部で崩れてしまうおそれがあった。これに対し、上述した紙幣収納袋３４ｐ、３４ｑ、３４ｒを用いた場合には、開口部から離れるにつれて、内部空間の周囲の長さが小さくなるため、このような問題が生じることを抑制することができる。
【００４８】
また、本実施の形態の紙幣処理機１０には、当該紙幣処理機１０の各構成部材の制御を行う制御部５０が設けられている。より詳細には、図１０に示すように、制御部５０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、紙幣収納機構３２（具体的には、パンタグラフ３７、加熱部材３８、規制ガイド駆動部３９ａ、ステージ駆動部４１、加熱部材４２、一時保留部４４、パンタグラフ４７および紙幣送り出し部４８）等がそれぞれ通信可能に接続されている。そして、識別部２６による紙幣の識別結果に係る信号が制御部５０に送られるとともに、制御部５０は紙幣処理機１０の各構成部材に指令信号を送ることによりこれらの構成部材の動作を制御するようになっている。
【００４９】
また、図１０に示すように、制御部５０には操作表示部５２、記憶部５４、印字部５６および通信インターフェース部５８がそれぞれ通信可能に接続されている。図１に示すように、操作表示部５２は例えば筐体１２の上面に設けられたタッチパネル等からなり、紙幣処理機１０における紙幣の入金処理等の処理状況や、各紙幣収納袋３４に収納されている紙幣の在高等に関する情報が操作表示部５２に表示されるようになっている。また、操作者は操作表示部５２を操作することにより制御部５０に対して様々な指令を与えることができるようになっている。記憶部５４には、紙幣処理機１０における紙幣の入金処理等の処理履歴や、各紙幣収納袋３４に収納されている紙幣の在高等に関する情報が記憶されるようになっている。また、印字部５６は、紙幣処理機１０における紙幣の入金処理等の処理履歴や、各紙幣収納袋３４に収納されている紙幣の在高等に関する情報をレシート等に印字するようになっている。また、制御部５０は通信インターフェース部５８を介して本実施の形態による紙幣処理機１０とは別に設けられた外部装置（具体的には、例えば上位端末）に対して信号の送受信を行うことができるようになっている。具体的には、制御部５０は通信インターフェース部５８を介して記憶部５４に記憶されている情報を紙幣処理機１０とは別に設けられた外部装置に送信することができるようになっている。例えば、警送会社の警備員等が紙幣収納袋３４ごと紙幣を回収する際に、回収された紙幣に関する情報が通信インターフェース部５８により警送会社のコンピュータ等に送信されるようになっている。
【００５０】
次に、このような構成からなる紙幣処理機１０の動作について説明する。なお、以下に示すような紙幣処理機１０の動作は、制御部５０が紙幣処理機１０の各構成部材を制御することにより行われるようになっている。
【００５１】
まず、紙幣処理機１０において紙幣の入金処理を行う際の動作について説明する。操作者が投入部２０に紙幣を投入した後、操作表示部５２により入金処理開始の指令を制御部５０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。一方、識別部２６により正常な紙幣であると識別された紙幣は搬送部２４から分岐搬送部２５に分岐させられ、当該分岐搬送部２５から紙幣収納袋３４に送られ、この紙幣収納袋３４に収納されるようになる。
【００５２】
また、識別部２６により識別された紙幣が送られるべき紙幣収納袋３４がフル状態またはニアフル状態となっており、紙幣収納袋３４に紙幣を収納させることができない場合には、識別部２６により識別された紙幣は収納繰出部３０に送られ、当該収納繰出部３０に収納されるようになっている。そして、フル状態またはニアフル状態となっている紙幣収納袋３４が警送会社の警備員等や店舗の店員等によって下部ユニット１６の紙幣収納機構３２から取り出され、空の紙幣収納袋３４が紙幣収納機構３２に装着されると、収納繰出部３０から紙幣が１枚ずつ搬送部２４に繰り出されて当該搬送部２４により紙幣収納袋３４に送られるようになる。
【００５３】
次に、紙幣収納機構３２において、上部ユニット１４の分岐搬送部２５から下部ユニット１６に送られた紙幣を一対の保持部材３６により保持されている紙幣収納袋３４に収納させる際の動作について説明する。
【００５４】
上部ユニット１４の分岐搬送部２５から下部ユニット１６に送られた紙幣は紙幣送り出し部４８により左右一対の一時保留部４４上に送られ、これらの一時保留部４４上に集積される。そして、所定の枚数の紙幣が各一時保留部４４上に集積されると、各一時保留部４４はその基端部分に設けられた軸４４ａを中心としてそれぞれ下方（すなわち、図２における矢印方向）に回転し、各一時保留部４４上に集積されている紙幣は自重によりこれらの一時保留部４４から落下して紙幣収納袋３４に収納されるようになる。また、各一時保留部４４から紙幣が落下して紙幣収納袋３４に収納されると、各ステージ４０がステージ駆動部４１により下方に移動させられ、次に各一時保留部４４から紙幣収納袋３４に送られる紙幣の収納空間が当該紙幣収納袋３４の内部に形成されるようになる。また、本実施の形態では、制御部５０は、各保持部材３６により保持される紙幣収納袋３４の内部に紙幣を送って当該紙幣収納袋３４に紙幣を収納させる際に、一時保留部４４に保留される紙幣を押し込み板４６により紙幣収納袋３４の内部に押し込むようパンタグラフ４７を制御するようになっている。このことにより、各一時保留部４４に紙幣が残留した場合でも、このような残留している紙幣を各一時保留部４４から落下させて紙幣収納袋３４に収納させることができるようになる。
【００５５】
また、制御部５０は、各保持部材３６により保持される紙幣収納袋３４の内部に紙幣が収納され、各ステージ４０が下方に移動させられた後に、当該紙幣収納袋３４の内部に押し込み板４６を進入させてこの紙幣収納袋３４内に集積されている紙幣を介して当該紙幣収納袋３４の底部を各ステージ４０に向かって押圧させるようパンタグラフ４７を制御するようになっていてもよい。この場合には、押し込み板４６によって紙幣収納袋３４の内部に紙幣を押し込むことにより、紙幣収納袋３４の内部に積層状態で集積されている紙幣が集積方向に圧縮されるため、紙幣収納袋３４の内部に積層状態で収納されている紙幣が崩れてしまうことをより一層抑制することができる。
【００５６】
以上のような構成からなる本実施の形態の紙幣収納袋３４、３４ｐ、３４ｑ、３４ｒによれば、上端縁に開口部が設けられ、内部空間の周囲の長さが、開口部が設けられた箇所で最大の大きさとなっている。なお、上述したように、紙幣収納袋３４、３４ｐ、３４ｑ、３４ｒの内部空間の周囲の長さとは、紙幣収納袋３４、３４ｐ、３４ｑ、３４ｒにマチが設けられていない場合には側面の横幅の２倍の大きさと略同一の大きさとなり、一方、紙幣収納袋３４、３４ｐ、３４ｑ、３４ｒにマチが設けられている場合には側面の横幅の２倍の大きさおよびマチの横幅の２倍の大きさの合計と略同一の大きさとなる。また、本実施の形態の紙幣収納袋３４、３４ｐ、３４ｑ、３４ｒにおいては、複数枚の紙幣を積層状態で内部に収納するようになっている。ここで、紙幣収納袋３４、３４ｐ、３４ｑ、３４ｒの内部空間の周囲の長さが、開口部が設けられた箇所で最大の大きさとなっている場合には、紙幣収納袋３４、３４ｐ、３４ｑ、３４ｒの底部の近傍では内部空間の無駄な部分が小さくなり、よって内部に積層状態で収納されている紙幣が崩れてしまうことを抑制することができる。
【００５７】
また、本実施の形態の紙幣収納袋３４、３４ｐ、３４ｑ、３４ｒにおいては、上述したように、開口部から離れるにつれて、内部空間の周囲の長さが小さくなっている。また、側面の横幅が、開口部が設けられた箇所で最大の大きさとなっており、開口部から離れるにつれて、側面の横幅が小さくなっている。
【００５８】
また、本実施の形態の紙幣収納袋３４、３４ｑ、３４ｒにおいては、上述したように、開口部の近傍には紙幣収納袋３４、３４ｑ、３４ｒの側面を補強する補強部材３４ｃ、３４ｎ、３４ｈが設けられており、補強部材３４ｃ、３４ｎ、３４ｈが設けられる箇所では内部空間の周囲の長さが一定となっている。
【００５９】
また、本実施の形態の紙幣収納袋３４ｑにおいては、上述したように、紙幣収納袋３４ｑは略長方形形状となっており、当該紙幣収納袋３４ｑの側端縁の近傍の箇所の内面が接着されることにより内部空間が形成されるようになっている。
【００６０】
また、本実施の形態の紙幣収納袋３４ｒにおいては、上述したように、開口部に近い側に設けられ、開口部から離れるにつれて内部空間の周囲の長さが徐々に小さくなる第１部分３４ｉと、第１部分３４ｉよりも開口部から遠い側に設けられ、内部空間の周囲の長さが一定となっている第２部分３４ｊとを備えている。
【００６１】
また、上述した紙幣収納袋３４が着脱自在に装着可能となっている本実施の形態の紙幣処理機１０（紙葉類処理装置）は、紙幣収納袋３４における開口部の近傍の箇所を保持する左右一対の保持部材３６と、略鉛直方向に移動可能となっており、保持部材３６により保持される紙幣収納袋３４の少なくとも一部が載置されるステージ４０（載置部）とを備えており、紙幣収納袋３４を保持しているときの各保持部材３６の間隔は、ステージ４０の幅よりも大きくなっている。この場合には、紙幣収納袋３４の内部空間の周囲の長さが、開口部が設けられた箇所で最大の大きさとなっている場合でも、ステージ４０にその少なくとも一部が載置されている紙幣収納袋３４を各保持部材３６により確実に保持させることができるようになる。
【００６２】
また、本実施の形態の紙幣処理機１０（紙葉類処理装置）においては、各保持部材３６により保持される紙幣収納袋３４の側端縁を規制する左右一対の規制ガイド３９（規制部材）が設けられており、紙幣収納袋３４を保持しているときの各保持部材３６の間隔は、各規制ガイド３９の間隔よりも大きくなっている。この場合には、紙幣収納袋３４の内部空間の周囲の長さが、開口部が設けられた箇所で最大の大きさとなっている場合でも、各規制ガイド３９によりその側端縁が規制されている紙幣収納袋３４を各保持部材３６により確実に保持させることができるようになる。また、各規制ガイド３９における紙幣収納袋３４の側端縁に対向する面は、各保持部材３６により保持される紙幣収納袋３４の開口部から離れるにつれて互いに接近するよう鉛直方向に対して傾斜している。この場合には、紙幣収納袋３４のテーパ部分３４ｄの側端縁（すなわち、紙幣の集積方向に対して傾斜している側端縁）を各規制ガイド３９により確実に規制することができるようになる。
【００６３】
また、本実施の形態の紙幣処理機１０（紙葉類処理装置）においては、保持部材３６により保持される紙幣収納袋３４に収納される前の紙幣を一時的に保留する一時保留部４４と、一時保留部４４に保留される紙幣を、各保持部材３６により保持されている紙幣収納袋３４の内部に押し込む押し込み板４６（押し込み部）とがそれぞれ設けられている。この場合には、押し込み板４６によって紙幣収納袋３４の内部に紙幣を押し込むことにより、紙幣収納袋３４の内部に積層状態で集積されている紙幣が集積方向に圧縮されるため、紙幣収納袋３４の内部に積層状態で収納されている紙幣が崩れてしまうことをより一層抑制することができる。
【００６４】
なお、本実施の形態による紙幣収納袋や当該紙幣収納袋が着脱自在に装着可能となっている紙幣処理機は、上述したような態様に限定されることはなく、様々な変更を加えることができる。
【００６５】
例えば、本実施の形態による紙幣収納袋は、図４乃至図８に示すような構成のものに限定されることはない。本実施の形態による紙幣収納袋として、上端縁に開口部が設けられ、内部空間の周囲の長さが、開口部が設けられた箇所で最大の大きさとなっているものであれば、図４乃至図８に示すような形状以外の構成の紙幣収納袋が用いられてもよい。
【００６６】
また、本発明に係る収納袋は、紙幣を収納する紙幣収納袋に限定されることはない。本発明に係る収納袋として、紙幣以外の紙葉類（例えば、小切手や商品券等）を収納するものが用いられてもよい。また、本発明に係る紙葉類処理装置は紙幣処理機に限定されることはない。本発明に係る紙葉類処理装置として、紙幣以外の紙葉類を処理するものが用いられ、このような紙葉類処理装置に、本発明に係る収納袋が着脱自在に装着可能となっていてもよい。
【符号の説明】
【００６７】
１０    紙幣処理機
１２    筐体
１４    上部ユニット
１６    下部ユニット
２０    投入部
２０ａ  紙幣繰出機構
２２    投出部
２２ａ  羽根車
２２ｂ  羽根車駆動部
２４    搬送部
２５    分岐搬送部
２６    識別部
３０    収納繰出部
３０ａ  ドラム
３１    テープ
３２    紙幣収納機構
３４、３４ｐ、３４ｑ、３４ｒ  紙幣収納袋
３４ａ  突出部
３４ｂ  開口
３４ｃ  補強部材
３４ｄ  テーパ部分
３４ｅ  補強部材
３４ｆ  テーパ部分
３４ｇ  接着箇所
３４ｈ  補強部材
３４ｉ  第１部分
３４ｊ  第２部分
３４ｍ  袋材料
３４ｎ  補強部材
３５    紙幣収納袋
３５ａ  突出部
３５ｂ  開口
３６    保持部材
３６ａ  ピン
３６ｋ  枠体
３６ｐ  ガイドピン
３６ｑ  長穴
３７    パンタグラフ
３８    加熱部材
３９    規制ガイド
３９ａ  規制ガイド駆動部
４０    ステージ
４１    ステージ駆動部
４２    加熱部材
４４    一時保留部
４４ａ  軸
４６    押し込み板
４７    パンタグラフ
４８    紙幣送り出し部
５０    制御部
５２    操作表示部
５４    記憶部
５６    印字部
５８    通信インターフェース部
【図１】
2019148839.tif 000003
【図２】
2019148839.tif 000004
【図３】
2019148839.tif 000005
【図４】
2019148839.tif 000006
【図５】
2019148839.tif 000007
【図６】
2019148839.tif 000008
【図７】
2019148839.tif 000009
【図８】
2019148839.tif 000010
【図９】
2019148839.tif 000011
【図１０】
2019148839.tif 000012